(57)【要約】【課題】コイルでの信号の送受信の安定性が向上するとともに、構造の単純化による製造容易性の向上及び製造コストの低減の効果が得られるディジタイザ用センサ部及びその製造方法を提供する。【解決手段】本発明によるディジタイザ用センサ部１は、絶縁性を有する磁性層１００と、磁性層１００の一面に形成される第１コイル２１０と、第１コイル２１０を覆うと共に磁性層１００の一面に形成される絶縁層１５０と、絶縁層１５０の一面に形成される第２コイル２２０と、を含むものである。【選択図】図１
2014032644.tif 000002
【特許請求の範囲】
【請求項１】
絶縁性を有する磁性層と、
前記磁性層の一面に形成される第１コイルと、
前記第１コイルを覆うと共に前記磁性層の一面に形成される絶縁層と、
前記絶縁層の一面に形成される第２コイルと、
を含むディジタイザ用センサ部。
【請求項２】
前記絶縁層の一面に形成されるパワーコイルをさらに含む請求項１に記載のディジタイザ用センサ部。
【請求項３】
前記パワーコイルは、前記絶縁層の外側に形成される請求項２に記載のディジタイザ用センサ部。
【請求項４】
前記磁性層は、磁性粉末とバインダーとの混合物が硬化して形成される請求項１に記載のディジタイザ用センサ部。
【請求項５】
前記磁性粉末は、Ｆｅ−Ｓｉ−Ａｌの合金粉末を含む請求項４に記載のディジタイザ用センサ部。
【請求項６】
前記バインダーは、アクリロニトリルブタジエンスチレン（ａｃｒｙｌｏｎｉｔｒｉｌｅ−ｂｕｔａｄｉｅｎｃｅ−ｓｔｙｒｅｎｅ；ＡＢＳ）を含む請求項４に記載のディジタイザ用センサ部。
【請求項７】
前記磁性層の上層部の前記バインダーの混合比は、前記磁性層の下層部の前記バインダーの混合比より相対的に高い請求項４に記載のディジタイザ用センサ部。
【請求項８】
（ａ）ベースフィルムの一面に磁性層を形成する段階と、
（ｂ）前記磁性層の一面に第１コイルを形成する段階と、
（ｃ）前記第１コイルを覆うように前記磁性層の一面に絶縁層を形成する段階と、
（ｄ）前記絶縁層の一面に第２コイルを形成する段階と、
を含むディジタイザ用センサ部の製造方法。
【請求項９】
前記（ａ）段階の後、前記ベースフィルムを前記磁性層から剥離する段階をさらに含む請求項８に記載のディジタイザ用センサ部の製造方法。
【請求項１０】
前記（ｄ）段階の後、前記絶縁層の一面にパワーコイルを形成する段階をさらに含む請求項８に記載のディジタイザ用センサ部の製造方法。
【請求項１１】
前記パワーコイルが前記絶縁層の外側に形成される請求項１０に記載のディジタイザ用センサ部の製造方法。
【請求項１２】
前記（ａ）段階は、磁性粉末とバインダーとの混合物を前記ベースフィルムに塗布してから硬化することで前記磁性層を形成する段階である請求項８に記載のディジタイザ用センサ部の製造方法。
【請求項１３】
前記磁性粉末は、Ｆｅ−Ｓｉ−Ａｌの合金粉末を含む請求項１２に記載のディジタイザ用センサ部の製造方法。
【請求項１４】
前記バインダーは、アクリロニトリルブタジエンスチレン（ａｃｒｙｌｏｎｉｔｒｉｌｅ−ｂｕｔａｄｉｅｎｃｅ−ｓｔｙｒｅｎｅ；ＡＢＳ）を含む請求項１２に記載のディジタイザ用センサ部の製造方法。
【請求項１５】
前記（ａ）段階は、前記磁性粉末と前記バインダーとが混合された第１混合物及び第２混合物を順に前記ベースフィルムに塗布してから硬化することで前記磁性層を形成する段階であり、前記第２混合物の前記バインダーの混合比が前記第１混合物の前記バインダーの混合比より相対的に高い請求項１２に記載のディジタイザ用センサ部の製造方法。
【発明の詳細な説明】
【技術分野】
【０００１】
本発明は、ディジタイザ用センサ部及びその製造方法に関する。
【背景技術】
【０００２】
デジタル技術を用いるコンピュータが発達するにつれて、コンピュータの補助装置もともに開発されており、パソコン、ポータブル伝送装置、その他の個人用の情報処理装置などは、キーボード、マウスなどの様々な入力装置（Ｉｎｐｕｔ  Ｄｅｖｉｃｅ）を用いてテキスト及びグラフィック処理を行う。
【０００３】
しかし、情報化社会の急速な進行により、コンピュータの用途が益々拡大する傾向にあるため、現在入力装置の役割を担当しているキーボード及びマウスだけでは、効率的な製品の駆動が困難であるという問題点がある。従って、簡単で誤操作が少なく、誰でも簡単に情報を入力することができる機器の必要性が高まっている。
【０００４】
また、入力装置に関する技術は、一般的な機能を満たす水準を越えて、高信頼性、耐久性、革新性、設計及び加工に関する技術などが注目されており、このような目的を達成するために、テキスト、グラフィックなどの情報入力が可能な入力装置として、電磁気誘導方式のディジタイザ（Ｄｉｇｉｔｉｚｅｒ）が開発された。
【０００５】
電磁気誘導方式のディジタイザと類似した機能を果たすことができる入力装置として、静電容量方式のタッチスクリーンが挙げられるが、静電容量方式のタッチスクリーンは、電磁気誘導方式のディジタイザに比べて正確な座標を検知することができず、筆圧もまた認識することができない。従って、電磁気誘導方式のディジタイザは精度や正確性の面において静電容量方式タッチスクリーンより有利である。
【０００６】
従来のディジタイザとしては、特許文献１に従来技術として開示されているディジタイザが挙げられる。
【０００７】
特許文献１に開示されたディジタイザは、液晶パネルの下側に配置され、電子ペンがタッチされる位置で共振される電磁波を送受信することでタッチ位置を認識するセンサ部と、センサ部を制御する制御部と、を含んで構成される。
【０００８】
ここで、センサ部は、センサＰＣＢと、センサＰＣＢに形成される複数のＸ軸コイル及びＹ軸コイルと、で構成される。
【０００９】
また、制御部は、センサ部の下側に構成され、センサ部に信号を送信し、また入力される信号を読み込み、電子ペンの位置を検知する機能を果たすＣＰＵ（Ｃｏｎｔｒｏｌ  Ｐｒｏｃｅｓｓｏｒ  Ｕｎｉｔ）で構成される。
【００１０】
また、電子ペンの内部には、コイルとコンデンサーからなる共振回路が内蔵される。
【００１１】
このような従来のディジタイザは、センサ部が制御部から信号の印加を受けて動作するが、Ｘ軸及びＹ軸コイルを選択して電磁気を誘導しながら電磁波を発生させる。電子ペンは発生された電磁波によって共振され、共振周波数は一定時間ホールドされてセンサ部によって受信される。制御部は、センサ部が受信した信号を読み込み、タッチ位置を検知する。
【００１２】
一方、ディジタイザは、コイルから送受信される信号が周辺器機の影響を受けて減衰しないなど、信号の安定性をさらに向上する必要がある。しかし、前記従来のディジタイザは、このような要求に応えるための別の構成を含んでいないという問題がある。
【先行技術文献】
【特許文献】
【００１３】
【特許文献１】韓国登録特許第１０−０５１０７２９号公報
【発明の概要】
【発明が解決しようとする課題】
【００１４】
本発明は前記従来技術の問題点を解決するためのものであり、本発明の目的は、センサ部で送受信される信号の安定性が向上するディジタイザ用センサ部及びその製造方法を提供することにある。
【課題を解決するための手段】
【００１５】
本発明の実施例によるディジタイザ用センサ部は、絶縁性を有する磁性層と、前記磁性層の一面に形成される第１コイルと、前記第１コイルを覆うと共に前記磁性層の一面に形成される絶縁層と、前記絶縁層の一面に形成される第２コイルと、を含む。
【００１６】
本発明の実施例によるディジタイザ用センサ部は、前記絶縁層の一面に形成されるパワーコイルをさらに含むことが好ましい。
【００１７】
本発明の実施例によるディジタイザ用センサ部の前記パワーコイルは、前記絶縁層の外側に形成されることが好ましい。
【００１８】
本発明の実施例によるディジタイザ用センサ部の前記磁性層は、磁性粉末とバインダーとの混合物が硬化して形成されることが好ましい。
【００１９】
本発明の実施例によるディジタイザ用センサ部の前記磁性粉末は、Ｆｅ−Ｓｉ−Ａｌの合金粉末を含んでなることが好ましい。
【００２０】
本発明の実施例によるディジタイザ用センサ部の前記バインダーは、アクリロニトリルブタジエンスチレン（ａｃｒｙｌｏｎｉｔｒｉｌｅ−ｂｕｔａｄｉｅｎｃｅ−ｓｔｙｒｅｎｅ；ＡＢＳ）を含んでなることが好ましい。
【００２１】
本発明の実施例によるディジタイザ用センサ部の前記磁性層の上層部の前記バインダーの混合比は、前記磁性層の下層部の前記バインダーの混合比より相対的に高いことが好ましい。
【００２２】
本発明の実施例によるディジタイザ用センサ部の製造方法は、（ａ）ベースフィルムの一面に磁性層を形成する段階と、（ｂ）前記磁性層の一面に第１コイルを形成する段階と、（ｃ）前記第１コイルを覆うように前記磁性層の一面に絶縁層を形成する段階と、（ｄ）前記絶縁層の一面に第２コイルを形成する段階と、を含む。
【００２３】
本発明の実施例によるディジタイザ用センサ部の製造方法は、前記（ａ）段階の後、前記ベースフィルムを前記磁性層から剥離する段階をさらに含むことが好ましい。
【００２４】
本発明の実施例によるディジタイザ用センサ部の製造方法は、前記（ｄ）段階の後、前記絶縁層の一面にパワーコイルを形成する段階をさらに含むことが好ましい。
【００２５】
本発明の実施例によるディジタイザ用センサ部の製造方法は、前記パワーコイルが前記絶縁層の外側に形成されることが好ましい。
【００２６】
本発明の実施例によるディジタイザ用センサ部の製造方法の前記（ａ）段階は、磁性粉末とバインダーとの混合物を前記ベースフィルムに塗布してから硬化することで前記磁性層を形成する段階であることが好ましい。
【００２７】
本発明の実施例によるディジタイザ用センサ部の製造方法の前記磁性粉末は、Ｆｅ−Ｓｉ−Ａｌの合金粉末を含んでなることが好ましい。
【００２８】
本発明の実施例によるディジタイザ用センサ部の製造方法の前記バインダーは、アクリロニトリルブタジエンスチレン（ａｃｒｙｌｏｎｉｔｒｉｌｅ−ｂｕｔａｄｉｅｎｃｅ−ｓｔｙｒｅｎｅ；ＡＢＳ）を含んでなることが好ましい。
【００２９】
本発明の実施例によるディジタイザ用センサ部の製造方法の前記（ａ）段階は、前記磁性粉末と前記バインダーとが混合された第１混合物及び第２混合物を順に前記ベースフィルムに塗布してから硬化することで前記磁性層を形成する段階であり、前記第２混合物の前記バインダーの混合比が前記第１混合物の前記バインダーの混合比より相対的に高いことが好ましい。
【発明の効果】
【００３０】
本発明によると、コイルが磁性層上に形成されることで、コイルでの信号の送受信の安定性が向上することができる。
【００３１】
また、本発明によると、コイルが別の基板に形成されず磁性層上に直接形成されることで、構造の単純化による製造容易性の向上及び製造コストの低減の効果が得られる。
【図面の簡単な説明】
【００３２】
【図１】本発明の一実施例によるディジタイザ用センサ部の断面図である。
【図２】図１に図示された第１コイル及び第２コイルの形状が認識できる要部構成の斜視図である。
【図３】図１に図示されたディジタイザ用センサ部の製造方法を説明するための断面図である。
【図４】図１に図示されたディジタイザ用センサ部の製造方法を説明するための断面図である。
【図５】図１に図示されたディジタイザ用センサ部の製造方法を説明するための断面図である。
【図６】図１に図示されたディジタイザ用センサ部の製造方法を説明するための断面図である。
【図７】図１に図示されたディジタイザ用センサ部の製造方法を説明するための断面図である。
【発明を実施するための形態】
【００３３】
本発明の目的、特定の利点及び新規の特徴は、添付図面に係る以下の詳細な説明及び好ましい実施例によってさらに明らかになるであろう。本明細書において、各図面の構成要素に参照番号を付け加えるに際し、同一の構成要素に限っては、たとえ相違する図面に示されても、できるだけ同一の番号を付けるようにしていることに留意しなければならない。また、「一面」、「他面」、「第１」、「第２」などの用語は、一つの構成要素を他の構成要素から区別するために用いられるものであり、構成要素が前記用語によって限定されるものではない。以下、本発明を説明するにあたり、本発明の要旨を不明瞭にする可能性がある係る公知技術についての詳細な説明は省略する。
【００３４】
以下、添付図面を参照して、本発明の好ましい実施例を詳細に説明する。
【００３５】
図１は、本発明の一実施例によるディジタイザ用センサ部の断面図であり、図２は、図１に図示された第１コイル及び第２コイルの形状が認識できる要部構成の斜視図であり、図３から図７は、図１に図示されたディジタイザ用センサ部の製造方法を説明するための断面図である。
【００３６】
図１に図示されたように、本実施例によるディジタイザ用センサ部１は、絶縁性を有する磁性層１００と、前記磁性層１００の一面に形成される第１コイル２１０と、前記第１コイル２１０を覆うと共に前記磁性層１００の一面に形成される絶縁層１５０と、前記絶縁層１５０の一面に形成される第２コイル２２０と、を含む。
【００３７】
磁性層１００は、電子ペンのような入力装置（不図示）の共振回路とコイルとの間の送受信信号の安定性を向上させる機能を果たす。具体的に、例えば、タブレット（ｔａｂｌｅｔ）などのような携帯端末は小型化に伴い、ディジタイザ用センサ部１の周りに様々な導電体が配置される。この場合、ディジタイザ用センサ部１に含まれた信号送受信用コイルは、コイルから発生される磁界が前記導電体の存在によって大きく減衰したり、または共振周波数がシフトされることで、信号の送受信が不安定になる場合がある。従って、本実施例は、磁性層１００上にコイルが形成されるようにすることで、磁性層１００の下側方向に配置される導電体による電磁誘導障害を防止することができ、これによって、入力装置の共振回路とコイルとの間に送受信信号の安定性を向上させることができる。
【００３８】
磁性層１００は、後述する第１コイル２１０のライン同士が絶縁されることができるように、電気絶縁性を有することができる。
【００３９】
磁性層１００は、具体的に、磁性粉末とバインダーとの混合物（ｍｉｘｔｕｒｅ）が硬化することで形成することができる。
【００４０】
この際、磁性粉末は、例えば、Ｆｅ−Ｓｉ−Ａｌの合金粉末を含んでなることができ、その他にも磁性を有する公知された様々な材料からなることができる。また、バインダーは、例えば、アクリロニトリルブタジエンスチレン（ａｃｒｙｌｏｎｉｔｒｉｌｅ−ｂｕｔａｄｉｅｎｃｅ−ｓｔｙｒｅｎｅ；ＡＢＳ）を含んでなることができ、その他にも磁性層が絶縁性を有するようにする様々な材料からなることができる。
【００４１】
磁性層１００は、磁性粉末とバインダーとの混合比を適宜調節することで絶縁性を有することができるが、この際、バインダーに対する磁性粉末の相対的な混合比が低すぎると、十分な磁性を有することができないことがあり、また磁性粉末に対するバインダーの相対的な混合比が低すぎると、十分な絶縁性を有することができないことがある。従って、磁性層１００は、最適の磁性と絶縁性を有するように磁性粉末とバインダーとの混合比を適宜調節することが好ましい。
【００４２】
この際、磁性層１００は、一面、即ち、図１に図示されたところに基づき上面に、後述する第１コイル２１０が形成されるため、磁性層１００は、この上面を含む上層部１０１が第１コイル２１０のライン同士が絶縁されるように十分な絶縁性を有する必要がある。従って、磁性層１００は、上層部１０１の磁性粉末に対するバインダーの混合比が、下層部１０２の磁性粉末に対するバインダーの混合比より相対的に高くなるように形成されることができる。この場合、磁性層１００は、上層部１０１のバインダーに対する磁性粉末の相対的な混合比が低いため、反対に、下層部１０２のバインダーに対する磁性粉末の相対的な混合比が高くなるように形成させることができる。これにより、磁性層１００は、全体的に十分な磁性を有することができる。
【００４３】
第１コイル２１０は、磁性層１００の一面に形成される。この際、第１コイル２１０は、第１軸方向、例えば、図２に図示されたように、Ｘ軸方向に長さ方向を有するループ（ｌｏｏｐ）状に形成することができる。また、第２軸方向、例えば、図２に図示されたように、Ｙ軸方向に配列されると共に、並列に連結される多数に形成することができる。
【００４４】
絶縁層１５０は、第１コイル２１０と、後述する第２コイル２２０との間を電気的に絶縁する機能を果たす。また、磁性層１００と共に第１コイル２１０の隣接するライン同士を絶縁するようにする。また、後述する第２コイル２２０の隣接するライン同士もまた絶縁する機能を果たす。従って、絶縁層１５０は、電気絶縁性を有する物質からなることができる。例えば、ポリエチレンテレフタレート（ＰＥＴ）、ポリカーボネート（ＰＣ）、ポリメチルメタクリレート（ＰＭＭＡ）、ポリエチレンナフタレート（ＰＥＮ）、ポリエーテルスルホン（ＰＥＳ）などのような様々な絶縁性材料からなることができる。また、絶縁層１５０は、光学透明接着剤（Ｏｐｔｉｃａｌｌｙ  Ｃｌｅａｒ  Ａｄｈｅｓｉｖｅ；ＯＣＡ）を用いることもできる。
【００４５】
絶縁層１５０は、磁性層１００の一面に形成される。この際、第１コイル２１０を覆うように形成される。この場合、第１コイル２１０は、図１に図示されたように、磁性層１００と絶縁層１５０との間に埋め込まれた形態で存在し、第１コイル２１０の隣接するライン同士は、磁性層１００と絶縁層１５０によって十分に絶縁することができる。
【００４６】
第２コイル２２０は、絶縁層１５０の一面に形成される。第２コイル２２０は、図２に図示されたように、第１コイル２１０と交差する方向に長さ方向を有するループ状に形成することができる。この際、第２コイル２２０は、第１コイル２１０と垂直に交差するように、第１軸方向と垂直となる第２軸方向、即ちＹ軸方向に長さ方向を有することができる。また、第２コイル２２０は、Ｘ軸方向に配列されると共に、並列に連結される多数に形成することができる。
【００４７】
一方、前記第１コイル２１０と第２コイル２２０は、入力装置のタッチ位置を検知するための構成である。
【００４８】
先ず、電子ペンのような入力装置（不図示）は、インダクタとキャパシタを含む共振回路を内蔵させることができる。このような入力装置は、外部から入力される電磁気力によって共振回路が共振する。共振回路は、共振しながら誘導電流を生成し、生成された誘導電流によるエネルギーをキャパシタに貯蔵させることができる。
【００４９】
また、外部からの電磁気力の供給が中断されると、入力装置は、キャパシタに貯蔵されたエネルギーによってキャパシタがインダクタと共振し、この過程で電磁気力を放出する。
【００５０】
入力装置から放出される電磁気力は、第１コイル２１０と第２コイル２２０に電圧差を発生させる。制御部（不図示）は、このような電圧差を確認し、入力装置のタッチ位置を検出する。
【００５１】
このような第１コイル２１０と第２コイル２２０のうち何れか一つを、制御部から電流の供給を受ける駆動コイルとして用いることができる。また他の一つを、駆動コイルから誘導される磁力線によって電圧が発生する検知コイルとして用いることができる。検知コイルから誘導される電圧（誘導起電力）は、駆動コイルから誘導された磁力線の時間に対する変化量に比例する。従って、検知コイルに電圧が誘導されるためには、駆動コイルから誘導される磁力線が周期的に変化しなければならない。結果、駆動コイルは、誘導される磁力線が周期的に変化するように制御部から交流（Ａｌｔｅｒｎａｔｉｎｇ  Ｃｕｒｒｅｎｔ；ＡＣ）の供給を受けることができる。
【００５２】
第１コイル２１０と第２コイル２２０は、制御部によって制御されることで電圧を有するが、この際、入力装置が近づくと、前記のように入力装置から放出される電磁気力による影響を受けて電圧差が発生し、制御部は、このような電圧差を認知して入力装置のタッチ位置を確認する。
【００５３】
一方、本実施例は、パワーコイル２３０をさらに含むことができる。パワーコイル２３０について具体的に説明する前に、先ず、入力装置は、前記のように外部から電磁気力の入力を受けて共振する無電源入力装置で構成することもできるが、入力装置の共振回路が外部から交流電源の供給を受けて共振する構造からなることもできる。入力装置が外部から交流電源の供給を受けて作用する場合、ディジタイザ用センサ部１は、別のパワーコイル２３０をさらに含まなくても良い。しかし、入力装置が前記のような無電源入力装置である場合、ディジタイザ用センサ部１によって電磁気力の提供を受けると、ディジタイザ用センサ部１は、別のパワーコイル２３０をさらに含むことができる。
【００５４】
ディジタイザ用センサ部１は、第１コイル２１０と第２コイル２２０うち何れか一つがこのようなパワーコイル２３０の機能を兼ねることもできる。しかし、ディジタイザ用センサ部１は、制御部によって別に制御される別のパワーコイル２３０をさらに含むことで、入力装置とコイルとの間の信号の送受信の信頼性をさらに高めることができる。
【００５５】
本実施例によるディジタイザ用センサ部１は、このようなパワーコイル２３０をさらに含むことができる。パワーコイル２３０は、絶縁層１５０の一面に第２コイル２２０と共に形成することができ、この際、パワーコイル２３０と第２コイル２２０が互いに交差しないように、パワーコイル２３０は、絶縁層１５０の外側に沿ってループ状に形成することができる。
【００５６】
このように形成されたディジタイザ用センサ部１は、図１に図示されたように、一側方向に配置される画像表示装置３００及びウィンドウ４００に結合させることができる。
【００５７】
一方、本発明の一実施例によるディジタイザ用センサ部１の製造方法を説明すると、次のとおりである。但し、下記の説明で前記内容と重複する内容は省略する。
【００５８】
図３から図７に図示されたように、本実施例によるディジタイザ用センサ部１の製造方法は、（ａ）ベースフィルム１０の一面に磁性層１００を形成する段階と、（ｂ）前記磁性層１００の一面に第１コイル２１０を形成する段階と、（ｃ）前記第１コイル２１０を覆うように前記磁性層１００の一面に絶縁層１５０を形成する段階と、（ｄ）前記絶縁層１５０の一面に第２コイル２２０を形成する段階と、を含む。
【００５９】
前記（ａ）段階は、図３に図示されたように、ベースフィルム１０の一面に磁性層１００を形成する段階である。ベースフィルム１０としては、例えば、ＰＥＴフィルムなどを用いることができる。
【００６０】
磁性層１００は、磁性粉末とバインダーとの混合物（ｍｉｘｔｕｒｅ）をベースフィルム１０の一面に塗布し、これをローリング（ｒｏｌｌｉｎｇ）やキャスティング（ｃａｓｔｉｎｇ）などの方法で熱圧着することで形成することができる。但し、磁性層１００をベースフィルム１０に形成する方法としては、前記方法以外にも公知された様々な他の方法が用いられることができることは言うまでもない。
【００６１】
この際、前記混合物は、第１混合物と第２混合物からなることもできる。具体的に、第１混合物は、バインダーに対する磁性粉末の相対的な混合比を高くすることができ、第２混合物は第１混合物と反対に、磁性粉末に対するバインダーの相対的な混合比を高くすることができる。この場合、第１混合物と第２混合物を互いに比較すると、第２混合物のバインダーの磁性粉末に対する混合比は、第１混合物のバインダーの磁性粉末に対する混合比より相対的に高くなる。このような第１混合物と第２混合物は、ベースフィルム１０に順に塗布することができる。即ち、先ず、第１混合物をベースフィルム１０に塗布した後、塗布された第１混合物層上に第２混合物を積層すると共に塗布することができる。その後、前記のように、第１混合物と第２混合物を硬化させることで磁性層１００を形成することができる。このように形成された磁性層１００は、上層部１０１になる第２混合物層の磁性粉末に対するバインダーの混合比が、下層部１０２になる第１混合物層の磁性粉末に対するバインダーの混合比より高くなるように形成され、磁性層１００に形成される第１コイル２１０の隣接するライン同士を絶縁することができるように十分な絶縁性を有する。
【００６２】
前記（ｂ）段階は、図４に図示されたように、磁性層１００の一面に第１コイル２１０を形成する段階である。第１コイル２１０は、メッキや蒸着などの様々な方法によって磁性層１００に形成することができる。また、第１コイル２１０は、ループ状に形成することができる。また並列に連結される構造を有するように並んで配列され、多数形成することもできる。
【００６３】
前記（ｃ）段階は、図５に図示されたように、磁性層１００の一面に絶縁層１５０を形成する段階である。
【００６４】
絶縁層１５０は、例えば、ＰＥＴなどのような絶縁性を有する様々な材料からなることができる。絶縁層１５０は、第１コイル２１０を覆うように磁性層１００の一面に塗布して形成される。従って、第１コイル２１０は、絶縁層１５０及び磁性層１００の内部に完全に埋め込まれた形態で存在するため、第１コイル２１０の隣接するライン同士を十分に絶縁することができる。
【００６５】
前記（ｄ）段階は、図６に図示されたように、絶縁層１５０の一面に第２コイル２２０を形成する段階である。
【００６６】
第２コイル２２０は、第１コイル２１０と同様に、メッキや蒸着などの様々な方法によって絶縁層１５０に形成することができる。第２コイル２２０は、第１コイル２１０と同様に、ループ状に形成することができる。この際、第１コイル２１０と交差する方向に長さ方向を有するように形成することができ、また、並列に連結される構造を有するように並んで配列され、多数形成することができる。
【００６７】
また、本実施例は、図７に図示されたように、前記（ｄ）段階の後、パワーコイル２３０を形成する段階をさらに含むことができる。パワーコイル２３０は、前記のように、絶縁層１５０の外側に沿ってループ状に形成することができ、形成方法としては、第１コイル２１０や第２コイル２２０の形成方法と同一の方法を用いることができる。
【００６８】
一方、前記（ａ）段階で準備されたベースフィルム１０は、（ａ）段階の後に剥離されることで除去することができる。図１は、ベースフィルム１０が除去された状態を示している。ベースフィルム１０は、（ａ）段階の直後に剥離することもでき、または（ｂ）〜（ｄ）段階のうち何れかの段階の後に剥離することもできる。
【００６９】
以上、本発明を具体的な実施例に基づいて詳細に説明したが、これは本発明を具体的に説明するためのものであり、本発明はこれに限定されず、該当分野における通常の知識を有する者であれば、本発明の技術的思想内にての変形や改良が可能であることは明白であろう。
【００７０】
本発明の単純な変形乃至変更はいずれも本発明の領域に属するものであり、本発明の具体的な保護範囲は添付の特許請求の範囲により明確になるであろう。
【産業上の利用可能性】
【００７１】
本発明は、ディジタイザ用センサ部及びその製造方法に適用可能である。
【符号の説明】
【００７２】
１  ディジタイザ用センサ部
１０  ベースフィルム
１００  磁性層
１０１  上層部
１０２  下層部
１５０  絶縁層
２１０  第１コイル
２２０  第２コイル
２３０  パワーコイル
３００  画像表示装置
４００  ウィンドウ
【図１】
2014032644.tif 000003
【図２】
2014032644.tif 000004
【図３】
2014032644.tif 000005
【図４】
2014032644.tif 000006
【図５】
2014032644.tif 000007
【図６】
2014032644.tif 000008
【図７】
2014032644.tif 000009